(57)【要約】【課題】使用者の過去の行動データが不要で、空気調和対象の空間の使用前に使用者受け容れに適した空気環境にし、使用開始後にも快適性を維持できる空調制御装置を提供する。【解決手段】空調制御装置は、対象空間の空調を行う空調機器３０の動作を制御する空調制御部２１と、対象空間の使用予定者の現在の位置及び移動に関する情報、又は、対象空間の使用予定に関する情報の少なくとも一方を取得する情報取得部２２と、情報取得部２２が取得した情報に基づいて、対象空間の使用開始予定時刻を特定する開始予定時刻特定部２３とを備える。情報取得部２２はさらに対象空間の環境情報を取得する。空調制御部２１は、空調機器３０の動作について、使用開始予定時刻までは第１の制御を行い、使用開始予定時刻以降は第２の制御を行う。空調制御部２１は対象空間の環境情報に応じて第１及び第２の制御の内容を決定する。【選択図】図３
2020153589.tif 000002
【特許請求の範囲】
【請求項１】
対象空間の空調を行う空調機器の動作を制御する制御手段と、
前記対象空間の使用予定者の現在の位置及び移動に関する情報、又は、前記対象空間の使用予定に関する情報の少なくとも一方を取得する情報取得手段と、
前記情報取得手段が取得した情報に基づいて、前記対象空間の使用開始予定時刻を特定する開始予定時刻特定手段と、を備え、
前記情報取得手段は、さらに前記対象空間の環境情報を取得し、
前記制御手段は、
前記空調機器の動作について、前記使用開始予定時刻までは第１の制御を行い、前記使用開始予定時刻以降は前記第１の制御とは異なる第２の制御を行うとともに、
前記対象空間の環境情報に応じて、前記第１の制御及び前記第２の制御の内容を決定する空調制御装置。
【請求項２】
前記情報取得手段は、さらに前記対象空間の収容可能人数及び使用予定者の人数に関する情報を取得し、
前記制御手段は、前記対象空間の収容可能人数及び使用予定者の人数にも応じて、前記第１の制御の内容を決定する請求項１に記載の空調制御装置。
【請求項３】
前記情報取得手段は、さらに前記対象空間の使用者の生体情報を取得し、
前記制御手段は、前記対象空間の使用者の生体情報にも応じて、前記第２の制御の内容を決定する請求項１又は請求項２に記載の空調制御装置。
【請求項４】
前記制御手段は、複数の前記空調機器のそれぞれの動作を制御可能である請求項１から請求項３のいずれか一項に記載の空調制御装置。
【請求項５】
前記対象空間からの使用者の退出を検知する退出検知手段をさらに備え、
前記制御手段は、前記空調機器の動作について、前記対象空間からの使用者の退出後に前記第１の制御を行う請求項１から請求項４のいずれか一項に記載の空調制御装置。
【請求項６】
前記対象空間からの使用者の退出を検知する退出検知手段をさらに備え、
前記制御手段は、前記空調機器の動作について、前記対象空間からの使用者の退出後に前記第１の制御及び前記第２の制御のいずれとも異なる第３の制御を行う請求項１から請求項４のいずれか一項に記載の空調制御装置。
【発明の詳細な説明】
【技術分野】
【０００１】
この発明は、空調制御装置に関するものである。
【背景技術】
【０００２】
空調制御装置において、ユーザの複数の行動スケジュールのうち行動スケジュールごとに所定空間の目標温度情報と時刻情報とが対応づけられた目標温度設定スケジュール情報を作成する作成部と、作成部により作成された目標温度設定スケジュール情報ごとに、目標温度設定スケジュール情報に含まれる目標温度が所定空間の基準の温度から乖離した乖離程度を示す情報と、行動スケジュールと過去の行動との適合確率とに基づいて、目標温度設定スケジュール情報を評価する評価部と、評価部による各目標温度設定スケジュールの評価結果に基づいて、作成部により作成された複数の目標温度設定スケジュール情報のうち一つの目標温度設定スケジュール情報を決定する決定部とを備えることで、設定した目標温度が最適な目標温度から乖離した場合における損失を抑制しようとするものが知られている（例えば、特許文献１参照）。
【先行技術文献】
【特許文献】
【０００３】
【特許文献１】特開２０１６−２２３６９４号公報
【発明の概要】
【発明が解決しようとする課題】
【０００４】
このように、特許文献１に示されるような空調制御装置は、行動スケジュールと過去の行動との適合確率とに基づく評価結果により、複数の目標温度設定スケジュール情報のうち一つの目標温度設定スケジュール情報を決定するものである。しかしながら、行動スケジュールと過去の行動との適合確率とに基づく評価結果により目標温度設定スケジュールを決定する場合、使用者が普段と異なる行動パターンをとったり、使用者の過去の行動データが蓄積されていなかったりする場合には、適切な目標温度設定スケジュールとすることが困難である。
【０００５】
この発明は、このような課題を解決するためになされたものである。その目的は、使用者の過去の行動データを必要とすることなく、空気調和の対象となる空間が使用される事前に当該空間を使用者を受け容れるのに適した空気環境にすることができるとともに、当該空間の使用開始後にも快適性を維持できる空調制御装置を得ることにある。
【課題を解決するための手段】
【０００６】
この発明に係る空調制御装置は、対象空間の空調を行う空調機器の動作を制御する制御手段と、前記対象空間の使用予定者の現在の位置及び移動に関する情報、又は、前記対象空間の使用予定に関する情報の少なくとも一方を取得する情報取得手段と、前記情報取得手段が取得した情報に基づいて、前記対象空間の使用開始予定時刻を特定する開始予定時刻特定手段と、を備え、前記情報取得手段は、さらに前記対象空間の環境情報を取得し、前記制御手段は、前記空調機器の動作について、前記使用開始予定時刻までは第１の制御を行い、前記使用開始予定時刻以降は前記第１の制御とは異なる第２の制御を行うとともに、前記対象空間の環境情報に応じて、前記第１の制御及び前記第２の制御の内容を決定する。
【発明の効果】
【０００７】
この発明に係る空調制御装置によれば、使用者の過去の行動データを必要とすることなく、空気調和の対象となる空間が使用される事前に当該空間を使用者を受け容れるのに適した空気環境にすることができるとともに、当該空間の使用開始後にも快適性を維持できるという効果を奏する。
【図面の簡単な説明】
【０００８】
【図１】この発明の実施の形態１に係る空調制御装置により制御される空調機器が設置された作業空間の構成を模式的に示す側面図である。
【図２】この発明の実施の形態１に係る空調機器の室内機の斜視図である。
【図３】この発明の実施の形態１に係る空調制御装置の制御系統の構成を示すブロック図である。
【図４】この発明の実施の形態１に係る空調制御装置における作業空間の環境情報等に応じた制御内容例を説明するための図である。
【図５】この発明の実施の形態１に係る空調制御装置における作業空間の環境情報等に応じた制御内容例を説明するための図である。
【図６】この発明の実施の形態１に係る空調制御装置の動作の一例を示すフロー図である。
【図７】この発明の実施の形態１に係る空調制御装置の動作の一例を説明する図である。
【図８】この発明の実施の形態２に係る空調制御装置の動作の一例を説明する図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図７を参照しながら、この発明の実施の形態１について説明する。図１は空調制御装置により制御される空調機器が設置された作業空間の構成を模式的に示す側面図である。図２は空調機器の室内機の斜視図である。図３は空調制御装置の制御系統の構成を示すブロック図である。図４及び図５は空調制御装置における作業空間の環境情報等に応じた制御内容例を説明するための図である。図６は空調制御装置の動作の一例を示すフロー図である。そして、図７は空調制御装置の動作の一例を説明する図である。
【００１１】
この実施の形態に係る空調制御装置は、空調機器の動作を制御するものである。空調制御装置の制御対象である空調機器は、図１に示すような作業空間１００を空気調和の対象としている。作業空間１００は、例えば会議室等の１つの部屋の内部空間である。ここで説明する構成例では、空調機器として温調室内機３１及び換気室内機３２が備えられている。温調室内機３１及び換気室内機３２は、作業空間１００に係る部屋の壁面５２又は天井面５４に設置される。ここで説明する構成例では、温調室内機３１及び換気室内機３２は、天井面５４に設置されている。
【００１２】
温調室内機３１は、作業空間１００内の空気の温度を調節することで空気調和を行う機器である。温調室内機３１は、冷房運転及び暖房運転を含む空調運転が可能である。また、温調室内機３１は、除湿運転、加湿運転のいずれか１つ以上の運転を可能としてもよい。なお、除湿運転、加湿運転については、温調室内機３１とは別に設置される機器により行えるようにしてもよい。この場合、除湿運転及び加湿運転の一方又は両方を行う機器は、天井面５４に設置されてもよいし、使用者５０が作業を行う机５３上に設置してもよいし、壁面５２又は床面５１等に設置してもよい。換気室内機３２は、作業空間１００内の空気を換気することで空気調和を行う機器である。
【００１３】
次に図１に加えて図２も参照しながら、温調室内機３１の構成について説明する。温調室内機３１は、筐体３１１を備えている。温調室内機３１の筐体３１１は、略直方体形を呈する箱状に形成されている。温調室内機３１の筐体３１１の下部には、矩形状又は正方形状の下面パネル３１６が設けられている。筐体３１１の下面パネル３１６には、吸込口３１４及び吹出口３１２が形成されている。
【００１４】
吸込口３１４は、外部から筐体３１１の内部に空気を取り込むための開口である。吸込口３１４は、下面パネル３１６の中央に配置されている。吹出口３１２は、筐体３１１の内部から外部へと空気を排出するための開口である。吹出口３１２は、下面パネル３１６における吸込口３１４の周囲に配置されている。この構成例では、吹出口３１２は、下面パネル３１６の各辺に沿って４つ設けられている。このように、温調室内機３１は、吹出口３１２が形成された本体を備えている。
【００１５】
それぞれの吹出口３１２には、ルーバーが設けられている。ルーバーは、吹出口３１２から吹き出す空気の上下方向及び左右方向の吹き出し角度を調整するためのものである。ルーバーは、矩形板状を呈する部材である。ルーバーの一端は、吹出口３１２のパネル中央側の縁部に回動可能に取り付けられている。この一端を軸にしてルーバーを回動させることで、吹出口３１２から吹き出す空気の上下方向及び左右方向の吹き出し角度を変更できる。
【００１６】
以上のように構成された、この実施の形態におけるルーバーは、吹出口３１２から吹き出す空気の上下風向を変更可能な風向可変手段の例である。なお、この構成例では、ルーバーの向きを最も上向きにすることで、吹出口３１２をルーバーで閉塞できる。ルーバーで閉塞することで、一部の吹出口３１２からの送風を停止させることが可能である。
【００１７】
筐体３１１の内部には、吸込口３１４から吹出口３１２へと通じる風路が形成されている。風路中には、いずれも図示しない熱交換器及び送風ファンが設置されている。熱交換器は、風路を流れる空気と熱交換して、風路を流れる空気を加熱又は冷却する。空気を加熱するか冷却するかは、温調室内機３１が暖房運転であるか冷房運転であるかによる。具体的には、暖房運転時には熱交換器は空気を加熱する。一方、冷房運転時には熱交換器は空気を冷却する。
【００１８】
熱交換器は、風路を流れる空気を加熱又は冷却することで、当該空気の温度、湿度等を調整し、調和空気を生成する。熱交換器は、このようにして、吸込口３１４から吸い込まれた空気と熱交換して調和空気を生成する。なお、暖房運転時には、調和空気として温風が生成され、冷房運転時には、調和空気として冷風が生成される。なお、風路内にデシカントを配置して風路を流れる空気を除湿又は加湿することで、当該空気の湿度を調整し、調和空気を生成してもよい。
【００１９】
送風ファンは、吸込口３１４から吹出口３１２へと向かう空気流を風路中に生成するためのものである。送風ファンが動作すると、吸込口３１４から吹出口３１２へと向かう空気流が風路中に生成され、吸込口３１４から空気が吸い込まれ、吹出口３１２から空気が吹き出される。吸込口３１４から吸い込まれた空気は、温調室内機３１の内部の風路を、熱交換器、送風ファンの順に通過する空気流となり、吹出口３１２から吹き出す。この際、送風ファンの風下側に配置されたルーバーにより、吹出口３１２から吹き出される風の方向（送風方向）が調整（変更）される。
【００２０】
温調室内機３１の筐体３１１の下面パネル３１６には、環境情報センサ３１５及び表面温度センサ３１３が取り付けられている。環境情報センサ３１５は作業空間１００内の環境情報を検出するセンサである。環境情報センサ３１５として、具体的に例えば、作業空間１００内の空気の温度を検出する温度センサ、作業空間１００内の空気の湿度を検出する湿度センサ、作業空間１００内の空気の二酸化炭素濃度を検出する二酸化炭素センサ等が挙げられる。また、環境情報として、作業空間１００の外部の空気すなわち外気の温度、湿度を検出してもよい。
【００２１】
表面温度センサ３１３は、例えば、一方向に並べた複数のサーモパイルを備えている。複数のサーモパイルのそれぞれは、赤外線の受光及び温度の検出を個別に実行可能な素子を有している。そして、表面温度センサ３１３は、複数のサーモパイルの前述の一方向と直交する方向の向きを変えることができる。このようにすることで、表面温度センサ３１３は、一方向に並んだ複数のサーモパイルのそれぞれを走査させて、温調室内機３１の下方の予め設定された対象範囲内について表面温度を検出することができる。この対象範囲は、作業空間１００内の全体をカバーすることが望ましい。
【００２２】
表面温度センサ３１３は、サーモパイルに代えて、ＳＯＩ（Ｓｉｌｉｃｏｎ  ｏｎ  Ｉｎｓｕｌａｔｏｒ）ダイオード方式の非冷却赤外線イメージセンサを備えていてもよい。ＳＯＩダイオード方式の場合、センサ部にシリコンダイオードを使用しているため、シリコン半導体ラインのみで製造可能であり、生産コストが安いというメリットがある。
【００２３】
表面温度センサ３１３は、このような構成により、前述した対象範囲内を走査して当該範囲内の表面温度分布を非接触で取得する。表面温度センサ３１３の検出結果、すなわち、表面温度センサ３１３により取得した表面温度分布データを、後述する制御装置本体２０等で処理することで、作業空間１００内の床面５１及び壁面５２、机５３等の障害物、人（使用者５０）を含む熱源の有無等を検出できる。また、作業空間１００内に使用者５０がいる場合、当該使用者５０の位置及び皮膚温度を検出できる。
【００２４】
また、表面温度センサ３１３により取得した表面温度分布データを、後述する制御装置本体２０等で処理することで、作業空間１００内の使用者５０の人数も検出できる。さらに、作業空間１００内の使用者５０の人数の変化から、作業空間１００への使用者５０の入退出も検知できる。
【００２５】
次に、図３を参照しながら、温調室内機３１及び換気室内機３２の動作を制御する空調制御装置の構成について説明する。なお、以降においては、温調室内機３１及び換気室内機３２を総称して空調機器３０と呼ぶ。
【００２６】
この実施の形態の空調制御装置は、制御装置本体２０を備えている。制御装置本体２０は、空調制御部２１、情報取得部２２及び開始予定時刻特定部２３を備えている。空調制御部２１は、対象空間である作業空間１００の空調を行う空調機器３０の動作を制御する制御手段である。
【００２７】
情報取得部２２は、情報取得手段である。情報取得部２２が取得する情報には、作業空間１００の使用予定者の現在の位置及び移動に関する情報、又は、作業空間１００の使用予定に関する情報の少なくとも一方が含まれている。
【００２８】
次に、情報取得部２２による情報の取得について説明する。ここで説明する構成例では、情報取得部２２の情報取得源として、記憶部１１、ＧＰＳ情報受信部１２、生体情報センサ１３、表面温度センサ３１３及び環境情報センサ３１５がある。
【００２９】
記憶部１１には、作業空間１００の使用予定に関する情報が予め記憶されている。記憶部１１に記憶する情報は、情報入力者が入力部１０から入力できる。作業空間１００の使用予定に関する情報には、少なくとも作業空間１００の使用開始予定時間が含まれている。ここで説明する構成例では、作業空間１００の使用予定に関する情報には、さらに、作業空間１００の使用終了予定時間及び使用予定人数が含まれている。また、ここで説明する構成例では、記憶部１１に、さらに、作業空間１００に関する情報が予め記憶されている。作業空間１００に関する情報とは、例えば、作業空間１００の収容可能人数である。情報取得部２２は、記憶部１１から作業空間１００の使用予定に関する情報を取得する。
【００３０】
この実施の形態では、作業空間１００の使用予定者（以下、単に「使用予定者」ともいう）について、ＧＰＳ（Ｇｌｏｂａｌ  Ｐｏｓｉｔｉｏｎｉｎｇ  Ｓｙｓｔｅｍ：全地球測位システム）により現在の位置及びその時間変化（移動）を計測可能である。具体的に例えば、使用予定者が所持するスマートフォン等の携帯情報端末により、当該使用予定者の位置情報が計測される。そして、計測された使用予定者の現在の位置及びその時間変化の情報は、携帯情報端末から送信される。計測された使用予定者の現在の位置及びその時間変化の情報は、ＧＰＳ情報受信部１２により受信される。この通信には、必要に応じてインターネット等の通信ネットワークが利用される。情報取得部２２は、ＧＰＳ情報受信部１２により受信された情報から、作業空間１００の使用予定者の現在の位置及び移動に関する情報を取得する。
【００３１】
生体情報センサ１３は、作業空間１００の使用者５０の生体情報を検出する例えばウェアラブルセンサである。生体情報センサ１３が検出する生体情報として具体的に例えば、心拍数、血圧、活動量、眼（瞳）の大きさ等が挙げられる。また、前述したように、表面温度センサ３１３は、作業空間１００内に使用者５０がいる場合、当該使用者５０の位置及び皮膚温度を検出できる。表面温度センサ３１３により検出された皮膚温度も、使用者５０の生体情報である。情報取得部２２は、検出された使用者５０の生体情報を生体情報センサ１３及び表面温度センサ３１３から取得する。
【００３２】
前述したように、この実施の形態では、環境情報センサ３１５は作業空間１００内の環境情報として、作業空間１００内の空気の温度、湿度及び二酸化炭素濃度を検出する。情報取得部２２は、検出された環境情報を環境情報センサ３１５から取得する。
【００３３】
開始予定時刻特定部２３は、対象空間である作業空間１００の使用開始予定時刻を特定する開始予定時刻特定手段である。開始予定時刻特定部２３は、作業空間１００の使用開始予定時刻の特定を、情報取得部２２が取得した情報に基づいて行う。情報取得部２２が取得した情報には、作業空間１００の使用予定に関する情報、又は、使用予定者の現在の位置及び移動に関する情報の少なくとも一方が含まれている。開始予定時刻特定部２３は、これらの情報の少なくともいずれかを用いて、作業空間１００の使用開始予定時刻を特定する。
【００３４】
例えば、使用予定者の現在の位置及び移動に関する情報を用いる場合、使用予定者の現在の位置と移動速度とから、当該使用予定者の作業空間１００への到着予想時刻を算出する。そして、当該使用予定者の作業空間１００への到着予想時刻から、作業空間１００の使用開始予定時間を特定する。
【００３５】
空調制御部２１は、空調機器３０の動作を制御する際に、開始予定時刻特定部２３により特定された作業空間１００の使用開始予定時間を用いる。より詳しくは、空調制御部２１は、空調機器３０の動作について、使用開始予定時刻までは第１の制御を行う。そして、空調制御部２１は、空調機器３０の動作について、使用開始予定時刻以降は第２の制御を行う。第２の制御は、前述した第１の制御とは異なる制御である。
【００３６】
空調制御部２１は、情報取得部２２により取得された情報に応じて、前述した第１の制御及び第２の制御の内容を決定する。空調制御部２１は、少なくとも作業空間１００の環境情報に応じて、第１の制御及び第２の制御の内容を決定する。空調制御部２１は、さらに作業空間１００の収容可能人数及び使用予定者の人数に応じて第１の制御の内容を決定してもよい。また、空調制御部２１は、さらに使用者５０の生体情報に応じて第２の制御の内容を決定してもよい。
【００３７】
なお、図３に示すように、空調制御部２１は、複数の空調機器３０のそれぞれの動作を制御可能である。したがって、第１の制御及び第２の制御の内容を決定することの中には、複数の空調機器３０のうちから動作させるものを選択することも含まれる。
【００３８】
次に、図４及び図５を参照しながら、作業空間１００の環境情報等に応じた空調制御部２１により決定される前述した第１の制御及び第２の制御の内容の具体例について説明する。図４は、作業空間１００の環境情報等の一例である。なお、同図に示す例では、作業空間１００の環境情報だけでなく、作業空間１００の収容可能人数及び使用予定者の人数に関する情報と、使用予定者の生体情報も含まれている。ここに含まれる使用予定者の生体情報は、具体的には使用予定者の活動量である。なお、ここでは、使用予定者の活動量として、使用予定者の全体のうちで活動量が多い者の割合により評価したものを用いる。そして、ここでは、外部から作業空間１００まで長距離を移動してしてくる使用予定者は「活動量が多い」とし、そうでない使用予定者は「活動量が少ない」とする。
【００３９】
ここでは、具体例として３つのケースを取り上げる。第１のケースは、作業空間１００の環境情報について、作業空間１００の室温が中立温度より大きく、作業空間１００の湿度が６０％より大きく、作業空間１００の二酸化炭素濃度が１５００ｐｐｍより大きい。また、この第１のケースは、作業空間１００の収容可能人数（定員）に対する使用予定者の人数の比が１００％である。さらに、この第１のケースは、使用予定者の生体情報について、使用予定者全体で活動量が「高」である。
【００４０】
ここで、活動量が「高」であるとは、外部から作業空間１００まで長距離を移動してくる使用予定者の割合が全体の７０％以上であることを指すとする。また、活動量が「中」であるとは、外部から作業空間１００まで長距離を移動してくる使用予定者の割合が全体の３０％から７０％であることを指すとする。そして、活動量が「低」であるとは、外部から作業空間１００まで長距離を移動してくる使用予定者の割合が全体の３０％以下であることを指すとする。
【００４１】
第２のケースは、作業空間１００の環境情報として、作業空間１００の室温が中立温度より大きく、作業空間１００の湿度が４０％から６０％で、作業空間１００の二酸化炭素濃度が５００ｐｐｍ未満である。また、この第２のケースは、作業空間１００の収容可能人数（定員）に対する使用予定者の人数の比が１００％である。さらに、この第２のケースは、使用予定者の生体情報について、使用予定者全体で活動量が「高」である。
【００４２】
第３のケースは、作業空間１００の環境情報として、作業空間１００の室温が中立温度より大きく、作業空間１００の湿度が４０％から６０％で、作業空間１００の二酸化炭素濃度が５００ｐｐｍ未満である。また、この第３のケースは、作業空間１００の収容可能人数（定員）に対する使用予定者の人数の比が２０％である。さらに、この第３のケースは、使用予定者の生体情報について、使用予定者全体で活動量が「低」である。
【００４３】
図５は、以上の第１のケースから第３のケースのそれぞれの場合における、前述した第１の制御及び第２の制御の内容の一例である。まず、第１のケースでの制御内容例について説明する。第１のケースでは、作業空間１００は、蒸し暑く、かつ、二酸化炭素濃度が作業効率が低下すると予想される程度に高い。さらに、定員に対し満員の状態のスケジュールが予定されている。
【００４４】
この場合、第１の制御の内容として、温調室内機３１の冷房運転をＯＮにし、かつ、除湿運転をＯＮにする。また、換気室内機３２については、換気量「中」でＯＮにする。このようにすることで、使用開始時に使用者５０が入室した際、温冷的快適を実現できる。また、除湿することで使用開始時に使用者が入室した際における快適性を向上できる。さらに換気量「中」で換気することで一般大気中と同等の４００ｐｐｍ程度に二酸化炭素濃度を下げ、入室時の空気のよどみ感と作業効率の低下を抑制できる。
【００４５】
また、この第１のケースの場合、第２の制御の内容として、温調室内機３１の冷房運転をＯＮにし、かつ、除湿運転をＯＮにする。また、換気室内機３２については、換気量「強」でＯＮにする。作業空間１００の使用開始後は、作業空間１００内が満員で、かつ、遠方からの長距離移動者が多いことから、使用者５０の代謝量が多く呼気中の単位時間当たりの水分発生量、二酸化炭素発生量及び人体からの発熱量が多いことが予想される。このため、上述した第２の制御の内容にすることで、快適性の向上を図ることができる。
【００４６】
次に、第２のケースでの制御内容例について説明する。第２のケースでは、作業空間１００は、暑いが蒸し暑くはなく、かつ、二酸化炭素濃度は作業効率が低下しないと予想される程度に低い。さらに、定員に対し満員の状態のスケジュールが予定されている。
【００４７】
この場合、第１の制御の内容として、温調室内機３１の冷房運転をＯＮにして、使用開始時に使用者５０が入室した際の温冷的快適を実現できる。また、除湿運転をＯＦＦにし、換気室内機３２をＯＦＦにすることで、消費電力量の低減を図ることができる。
【００４８】
そして、この第２のケースの場合、第２の制御の内容として、温調室内機３１の冷房運転をＯＮにし、かつ、除湿運転をＯＮにする。また、換気室内機３２については、換気量「強」でＯＮにする。作業空間１００の使用開始後は、作業空間１００内が満員で、かつ、遠方からの長距離移動者が多いことから、使用者５０の代謝量が多く呼気中の単位時間当たりの水分発生量、二酸化炭素発生量及び人体からの発熱量が多いことが予想される。このため、上述した第２の制御の内容にすることで、快適性の向上を図ることができる。
【００４９】
最後に、第３のケースでの制御内容例について説明する。第３のケースでは、作業空間１００は、暑いが蒸し暑くはなく、かつ、二酸化炭素濃度は作業効率が低下しないと予想される程度に低い。さらに、定員に対し２割程度の人員となるスケジュールが予定されている。
【００５０】
この場合、第１の制御の内容として、温調室内機３１の冷房運転をＯＮにして、使用開始時に使用者５０が入室した際の温冷的快適を実現できる。また、除湿運転をＯＦＦにし、換気室内機３２をＯＦＦにすることで、消費電力量の低減を図ることができる。
【００５１】
そして、この第３のケースの場合、第２の制御の内容として、温調室内機３１の冷房運転をＯＮにし、かつ、除湿運転をＯＦＦにする。また、換気室内機３２については、換気量「弱」でＯＮにする。作業空間１００の使用開始後は、作業空間１００内の人数が定員に対し２割程度と少なく、かつ、遠方からの長距離移動者も少ないことから、使用者５０の代謝量が比較的に少なく、呼気中の単位時間当たりの水分発生量、二酸化炭素発生量及び人体からの発熱量が多くないことが予想される。
【００５２】
ただし、作業空間１００の使用開始後は、使用開始前よりも二酸化炭素発生量が若干増加することが予想される。このため、第２の制御において換気室内機３２を換気量「弱」で運転させることで、消費電力量を低減し、換気による冷房負荷の上昇を抑えつつ、空気のよどみ解消と作業効率の低下抑制を実現できる。
【００５３】
次に、図６を参照しながら、この実施の形態における空調制御装置の動作の流れの一例を説明する。まず、ステップＳ１において、情報取得部２２は、記憶部１１から作業空間１００の使用予定に関する情報を取得する。続くステップＳ２において、開始予定時刻特定部２３は、ステップＳ１で情報取得部２２が取得した情報に基づいて、作業空間１００の使用開始予定時刻を特定する。また、ステップＳ１で情報取得部２２が取得した情報に基づいて、空調制御部２１は、作業空間１００の収容可能人数及び使用予定人数についても確認する。さらに、空調制御部２１は、作業空間１００の使用終了予定時刻についても確認する。ステップＳ２の後、処理はステップＳ３へと進む。
【００５４】
ステップＳ３においては、環境情報センサ３１５は、作業空間１００の環境情報を検出する。そして、情報取得部２２は、検出された環境情報を環境情報センサ３１５から取得する。続くステップＳ４において、空調制御部２１は、前述した第１の制御及び第２の制御の内容を決定する。すなわち、空調制御部２１は、作業空間１００の使用開始予定時刻前と、使用開始予定時刻後のそれぞれにおける空気質の制御スケジュールを決定する。ステップＳ４の後、処理はステップＳ５へと進む。
【００５５】
ステップＳ５においては、空調制御部２１は、ステップＳ４で決定した第１の制御の内容に従って、空調機器３０の動作を制御する。続くステップＳ６において、環境情報センサ３１５は作業空間１００の環境情報を検出し、情報取得部２２は環境情報を環境情報センサ３１５から取得する。そして、空調制御部２１は、ステップＳ４で決定した第１の制御の内容において目標とする環境が達成できたか否かを確認する。目標とする環境が達成できていれば処理はステップＳ７へと進み、空調制御部２１は、空調機器３０の動作を停止させて待機する。そして、ステップＳ８で作業空間１００の使用開始予定時刻になったことを空調制御部２１が検知すると、処理はステップＳ９へと進む。
【００５６】
ステップＳ９においては、再び、環境情報センサ３１５は作業空間１００の環境情報を検出し、情報取得部２２は環境情報を環境情報センサ３１５から取得する。続くステップＳ１０において、空調制御部２１は、ステップＳ９で取得した環境情報に応じて前述した第２の制御の内容を修正する。すなわち、空調制御部２１は、作業空間１００の使用開始予定時刻後における空気質の制御スケジュールを修正する。ステップＳ１０の後、処理はステップＳ１１へと進む。
【００５７】
ステップＳ１１においては、空調制御部２１は、ステップＳ１０で修正した第２の制御の内容に従って、空調機器３０の動作を制御を開始する。そして、ステップＳ１２で作業空間１００の使用終了予定時刻になったことを空調制御部２１が検知すると、処理はステップＳ１３へと進む。ステップＳ１３においては、空調制御部２１は、空調機器３０の動作を停止させる。ステップＳ１３の処理が完了すると、一連の動作は終了となる。
【００５８】
ここで、前述したように、表面温度センサ３１３の検出結果から、作業空間１００内に使用者５０が在室しているか否かを検知可能である。そこで、開始予定時刻特定部２３は、作業空間１００内に使用者５０が在室していることが検知された時刻をもって、作業空間１００の実際の使用開始時刻を特定するようにしてもよい。そして、この場合、空調制御部２１は、作業空間１００の実際の使用開始時刻まで前述した第１の制御を行い、実際の使用開始時刻以降に前述した第２の制御を行うようにしてもよい。
【００５９】
次に、図７を参照しながら、この場合の空調制御装置の動作の一例を説明する。まず、ステップＳ２１において、作業空間１００である会議室等の管理責任者、使用予定者等が、作業空間１００の使用スケジュールを入力部１０で入力する。入力した情報は記憶部１１に記憶される。続くステップＳ２２において、制御装置本体２０の情報取得部２２は、記憶部１１から作業空間１００の使用予定に関する情報を取得する。ステップＳ２２の後、処理はステップＳ２３へと進む。
【００６０】
ステップＳ２３においては、環境情報センサ３１５は、作業空間１００の環境情報を検出する。そして、情報取得部２２は、検出された環境情報を環境情報センサ３１５から取得する。空調制御部２１は、前述した第１の制御及び第２の制御の内容を決定する。そして、ステップＳ２４において、空調制御部２１は、決定した第１の制御の内容に従って、動作させる空調機器３０を選択する。ステップＳ２４の後、処理はステップＳ２５へと進む。
【００６１】
ステップＳ２５においては、空調制御部２１は、第１の制御の内容に従って空調機器３０の動作を制御する。これにより、ステップＳ２４で選択された空調機器３０が動作する。その後、ステップＳ２６において、表面温度センサ３１３の検出結果から作業空間１００内に使用者５０が在室していることが検知されると、開始予定時刻特定部２３は作業空間１００の実際の使用開始時刻を特定する。ステップＳ２６の後、処理はステップＳ２７へと進む。
【００６２】
ステップＳ２７においては、環境情報センサ３１５は、再び作業空間１００の環境情報を検出する。そして、情報取得部２２は、検出された環境情報を環境情報センサ３１５から取得する。空調制御部２１は、必要に応じて前述した第２の制御の内容を修正する。そして、ステップＳ２８において、空調制御部２１は、第２の制御の内容に従って、動作させる空調機器３０を選択する。ステップＳ２８の後、処理はステップＳ２９へと進む。
【００６３】
ステップＳ２９においては、空調制御部２１は、第２の制御の内容に従って空調機器３０の動作を制御する。これにより、ステップＳ２８で選択された空調機器３０が動作する。ステップＳ２９の処理が完了すると、一連の動作は終了となる。
【００６４】
以上のように構成された空調制御装置においては、空調制御部２１は、空調機器３０の動作について、使用開始予定時刻までは第１の制御を行い、使用開始予定時刻以降は第１の制御とは異なる第２の制御を行う。そして、空調制御部２１は、情報取得部２２により取得された少なくとも作業空間１００の環境情報に応じて、第１の制御及び第２の制御の内容を決定する。このため、使用者の過去の行動データを必要とすることなく、空気調和の対象となる作業空間１００が使用される事前に作業空間１００を使用者５０を受け容れるのに適した空気環境にすることができる。また、作業空間１００の使用開始後にも快適性を維持できるという。この際、作業空間１００内の環境の変動が少ない使用前に空気質を調整しておくことで、使用開始後における制御を容易にし、空気調和に係る消費エネルギー量の削減を図ることも可能である。
【００６５】
具体的に例えば、冬季において外気が１０℃以下で非常に寒く、使用前の作業空間１００内の温度も人が滞在するには寒くて不快な１０℃であったとする。この場合、作業空間１００の使用開始予定時刻前に、温調室内機３１は室内に温風を吐出して人の滞在に適した２２℃にする。また、室内の二酸化炭素濃度が高いほど作業の生産性は低下する。そこで、一般的には、換気により室内の二酸化炭素濃度が一定以下になるように制御するとよい。ただし、作業空間１００の使用開始予定時刻前には、作業空間１００に人がいないため換気をしない方がよい。このようにすることで、使用開始予定時刻前の作業空間１００内に冷たい外気が流入し、温調室内機３１による暖房負荷が増すことを抑制できる。
【００６６】
なお、例えば夏季等に温調室内機３１が冷房運転又は送風運転を行う場合、使用開始予定時刻以降に行う前述した第２の制御において、風向可変手段であるルーバーにより、温調室内機３１の吹出口３１２から吹き出す風が使用者５０の頭部に当たるようにするとよい。使用者５０の頭部に風が当たることにより、表面温度センサ３１３により検知される使用者５０の頭部温度が低下する。この際、使用者５０の頭部温度が０．５〜２℃低くなるまで風向を維持するとよい。
【００６７】
このようにすることで、使用者５０の頭部温度を低下させつつ体感温度を中立に保つことができ、使用者５０の作業効率向上を支援することが可能である。これは、いわゆる「頭寒足熱」の状態であるが、頭部温度の低減が０．５〜２℃の場合がもっとも作業効率が向上する条件である。
【００６８】
温調室内機３１のルーバーの１つに対し使用者５０が複数人存在する場合もある。その場合には、複数の使用者５０に対し順番に風が当たるようにルーバーを制御するとよい。例えば、はじめの使用者５０に風を当て、その使用者５０の頭部温度が０．５〜２℃低くなったら、次の使用者５０に風を当てる。この際、表面温度センサ３１３により検出された皮膚温の高い人間を優先することも有効である。
【００６９】
また、吹出口３１２から吹き出す風速、風量は一定としてもよいし、不規則に揺らがせてもよい。風速、風量を不規則に変化されることで、使用者５０の風当たり感を低滅でき、さらなる快適性の向上を図ることが可能である。
【００７０】
実施の形態２．
図８を参照しながら、この発明の実施の形態２について説明する。図８は空調制御装置の動作の一例を説明する図である。
【００７１】
ここで説明する実施の形態２は、前述した実施の形態１の構成において、空気調和の対象空間から使用者が退出したことを検知した場合に、空調機器の制御を行うようにしたものである。以下、この実施の形態２に係る空調制御装置について、実施の形態１との相違点を中心に説明する。説明を省略した構成については実施の形態１と基本的に同様である。
【００７２】
実施の形態１で前述したように、表面温度センサ３１３の検出結果から、作業空間１００内に使用者５０が在室しているか否かを検知可能である。したがって、制御装置本体２０は、表面温度センサ３１３の検出結果から、作業空間１００内に在室していた使用者５０が退出したことも検知可能である。この意味で、この実施の形態に係る空調制御装置は、空気調和の対象空間である作業空間１００からの使用者５０の退出を検知する退出検知手段を備えている。
【００７３】
また、退出検知手段としては、他にも以下のような構成例が挙げられる。
・作業空間１００の照明が消灯されたことを検出した場合に、作業空間１００からの使用者５０の退出を検知する。
・ＧＰＳ情報受信部１２により受信された使用者５０の位置情報に基づいて作業空間１００からの使用者５０の退出を検知する。
・作業空間１００への入退室を管理する入退室管理装置からの情報に基づいて作業空間１００からの使用者５０の退出を検知する。
・記憶部１１に記憶されている、作業空間１００の使用終了予定時刻になった時に、作業空間１００からの使用者５０の退出を検知する。
【００７４】
そして、空調制御部２１は、空調機器３０の動作について、前述の退出検知手段により作業空間１００からの使用者５０の退出を検知した場合に、前述した第２の制御とは異なる制御を行う。すなわち、制御手段である空調制御部２１は、空調機器３０の動作について、対象空間である作業空間１００からの使用者５０の退出後に、前述した第２の制御とは異なる制御を行う。
【００７５】
作業空間１００からの使用者５０の退出後に行われる空調機器３０の動作の制御には、次の２通りがある。まず、１つめは、空調制御部２１は、空調機器３０の動作について、作業空間１００からの使用者５０の退出後に、前述した第１の制御を行うものである。すなわち、作業空間１００からの使用者５０の退出後に、作業空間１００の空気質を使用開始前の状態に戻すように空調機器３０を動作させる。このようにすることで、作業空間１００の使用終了後に速やかに使用前の状態に復帰させ、次の使用に適した環境にできる。
【００７６】
次に、作業空間１００からの使用者５０の退出後に行われる空調機器３０の動作の制御の２つめは、空調制御部２１は、空調機器３０の動作について、作業空間１００からの使用者５０の退出後に、第３の制御を行うものである。この第３の制御は、前述した第１の制御及び第２の制御のいずれとも異なる内容である。
【００７７】
第３の制御の内容として、具体的に例えば、作業空間１００の内部の空気質が作業空間１００の外部の空気質と同等になるようにする、すなわち、作業空間１００内が外気と同じ環境になるようにすることが挙げられる。また、第３の制御の他の例として、同一の日において、当該作業空間１００が使用される予定がもうない場合等において、作業空間１００に係る全ての空調機器３０の動作を停止させてもよい。
【００７８】
次に、図８を参照しながら、この場合の空調制御装置の動作の一例を説明する。同図の例は、実施の形態１で説明した図７の例と同様に、作業空間１００内に使用者５０が在室していることが検知された時刻をもって、作業空間１００の実際の使用開始時刻を特定した場合の例である。まず、ステップＳ３１からステップＳ３９は、実施の形態１で説明した図７のステップＳ２１からステップＳ２９と同じである。このため、ここでの説明は省略する。
【００７９】
ステップＳ３９では、空調制御部２１は、前述した第１の制御の内容に従って空調機器３０の動作を制御する。これにより、ステップＳ３８で選択された空調機器３０が動作する。その後、ステップＳ４０において、表面温度センサ３１３の検出結果から作業空間１００内に使用者５０の退室が検知されると、開始予定時刻特定部２３は作業空間１００の実際の使用終了時刻を特定する。ステップＳ４０の後、処理はステップＳ４１へと進む。
【００８０】
ステップＳ４１においては、環境情報センサ３１５は、再び作業空間１００の環境情報を検出する。そして、情報取得部２２は、検出された環境情報を環境情報センサ３１５から取得する。空調制御部２１は、必要に応じて前述した第１の制御の内容を修正する。そして、ステップＳ４２において、空調制御部２１は、再び第１の制御の内容に従って、動作させる空調機器３０を選択する。ステップＳ４２の後、処理はステップＳ４３へと進む。
【００８１】
ステップＳ４３においては、空調制御部２１は、第１の制御の内容に従って空調機器３０の動作を制御する。これにより、ステップＳ４２で選択された空調機器３０が動作するその後、ステップＳ４４において、情報取得部２２は、検出された環境情報を環境情報センサ３１５から取得する。そして、作業空間１００内の環境が作業空間１００の使用開始前に復帰したことが確認できた場合には、処理はステップＳ４５に移り、空調制御部２１は空調機器３０の動作を停止させる。これにより空調機器３０の動作は停止する。ステップＳ４５の処理が完了すると、一連の動作は終了となる。
【００８２】
なお、ステップＳ４１からステップＳ４３において、ここでは、再び第１の制御により作業空間１００を使用開始前の環境に復帰させる場合について説明したが、これは前述した第３の制御であっても構わない。第３の制御の場合、例えば、ステップＳ４４で作業空間１００内の環境が外気と同等になったことを確認できた場合には、処理はステップＳ４５に移り、空調制御部２１は空調機器３０の動作を停止させる。
【００８３】
以上のように構成された空調制御装置においても、実施の形態１と同様の効果を奏することができる。さらに、作業空間１００からの使用者５０が退出した場合に、その後の使用に備えて、作業空間１００の環境を使用開始前の状態に復帰させる等の制御を行うことで、その後の空気調和に必要なエネルギー量のさらなる削減を図ることができる。
【００８４】
これまでに説明してきた各実施の形態では、作業空間１００としてオフィスの会議室を例に挙げた。しかし、空調の対象となる作業空間１００はこれに限られず、他に例えば一般住宅の寝室、キッチン等でもよい。
【００８５】
例えば、複数の人が同じ寝室で就寝する場合、寝室の使用開始予定時刻前に入眠に適した温度となるように温調室内機３１を動作させて予め環境を作り、使用者５０が寝室に入室した後に換気室内機３２を動作させることで室内の二酸化炭素濃度を一定レベル以下に抑制することで質の高い眠りを実現することが可能となる。
【００８６】
また、例えば、キッチンで調理を行う場合に、キッチンの使用開始予定時刻前に温調室内機３１を動作させて人が快適に調理できる室温に調整し、使用者５０がキッチンで調理を開始した後に換気室内機３２を動作させることで調理で発生した蒸気、油煙等を屋外に排出することが可能である。
【００８７】
さらに家庭内で用いる場合、入力部１０としては個人が所持するスマートフォン、ＰＣ等を使用し、記憶部１１としてはスケジュール管理用のクラウドサービス等を利用する。このようにすることで、家族のそれぞれのスケジュールに応じた空調制御ができる。具体的に例えば、いつもは大人２人、こども１人で就寝する家庭で、大人１人が宿泊出張等で不在となる場合、家族のスケジュール情報から就寝人数を推定し、換気室内機３２を動作なしとする、又は、換気風量を減らすことで、使用者５０の快適性と消費エネルギー量の削減とを両立できる。
【符号の説明】
【００８８】
１０    入力部
１１    記憶部
１２    ＧＰＳ情報受信部
１３    生体情報センサ
２０    制御装置本体
２１    空調制御部
２２    情報取得部
２３    開始予定時刻特定部
３０    空調機器
３１    温調室内機
３１１  筐体
３１２  吹出口
３１３  表面温度センサ
３１４  吸込口
３１５  環境情報センサ
３１６  下面パネル
３２    換気室内機
５０    使用者
５１    床面
５２    壁面
５３    机
５４    天井面
１００    作業空間
【図１】
2020153589.tif 000003
【図２】
2020153589.tif 000004
【図３】
2020153589.tif 000005
【図４】
2020153589.tif 000006
【図５】
2020153589.tif 000007
【図６】
2020153589.tif 000008
【図７】
2020153589.tif 000009
【図８】
2020153589.tif 000010